(57)【特許請求の範囲】
【請求項１】
記録ディスクと、
その記録ディスクを回転可能に収納し、所定の位置にヘッド挿入口が形成され、そのヘッド挿入口の前部に低くなったブリッジ部が設けられたカートリッジケースと、
前記ヘッド挿入口を開閉するようにカートリッジケースに摺動可能に支持されたシャッタと、
そのシャッタをヘッド挿入口の閉塞位置に弾性付勢するコイルバネとを備えたディスクカートリッジにおいて、
前記コイルバネの一端に設けられたシャッタ係止部の高さが前記ブリッジ部の高さよりも低くなっており、前記シャッタが前記ヘッド挿入口の閉塞位置にあるとき、前記コイルバネのシャッタ係止部が前記ヘッド挿入口の内側に位置して、そのコイルバネのシャッタ係止部が前記ブリッジ部の平面より突出しないことを特徴とするディスクカートリッジ。
【請求項２】
請求項１記載のディスクカートリッジにおいて、前記ブリッジ部が上ケースの連結部と下ケースの連結部の重合体からなり、各連結部の前記コイルバネと対向する部分に切欠部が形成されていることを特徴とするディスクカートリッジ。
【請求項３】
請求項１記載のディスクカートリッジにおいて、前記ブリッジ部が上ケースの連結部と下ケースの連結部の重合体からなり、各連結部にバネ端ストッパー部が設けられていることを特徴とするディスクカートリッジ。
【請求項４】
記録ディスクと、
その記録ディスクを回転可能に収納し、所定の位置にヘッド挿入口が形成され、そのヘッド挿入口の前部に低くなったブリッジ部が設けられたカートリッジケースと、
前記ヘッド挿入口を開閉するようにカートリッジケースに摺動可能に支持されたシャッタと、
そのシャッタをヘッド挿入口の閉塞位置に弾性付勢するコイルバネとを備えたディスクカートリッジにおいて、
前記カートリッジケースのブリッジ部が上ケースの連結部と下ケースの連結部の重合体からなり、各連結部に前記コイルバネの一端に設けられたシャッタ係止部が係止するバネ端ストッパー部が設けられていることを特徴とするディスクカートリッジ。
【請求項５】
請求項４記載のディスクカートリッジにおいて、前記バネ端ストッパー部が前記ヘッド挿入口の内側に位置していることを特徴とするディスクカートリッジ。
【請求項６】
記録ディスクを回転可能に収納するディスク収納空間を内側に有し、所定の位置にヘッド挿入口が形成され、そのヘッド挿入口の前部に低くなったブリッジ部が設けられたカートリッジケースと、
前記ヘッド挿入口を開閉するようにカートリッジケースに摺動可能に支持されたシャッタと、
そのシャッタをヘッド挿入口の閉塞位置に弾性付勢するコイルバネとを備えたディスク収容体において、
前記コイルバネの一端に設けられたシャッタ係止部の高さが前記ブリッジ部の高さよりも低くなっており、前記シャッタが前記ヘッド挿入口の閉塞位置にあるとき、前記コイルバネのシャッタ係止部が前記ヘッド挿入口の内側に位置して、そのコイルバネのシャッタ係止部が前記ブリッジ部の平面より突出しないことを特徴とするディスク収容体。
【請求項７】
請求項６記載のディスク収容体において、前記ブリッジ部が上ケースの連結部と下ケースの連結部の重合体からなり、各連結部の前記コイルバネと対向する部分に切欠部が形成されていることを特徴とするディスク収容体。
【請求項８】
請求項６記載のディスク収容体において、前記ブリッジ部が上ケースの連結部と下ケースの連結部の重合体からなり、各連結部にバネ端ストッパー部が設けられていることを特徴とするディスク収容体。
【発明の詳細な説明】
【０００１】
【産業上の利用分野】
本発明は、例えば光ディスクや磁気ディスクなどの記録ディスクを回転可能に収納するディスクカートリッジならびにディスク収容体に係り、特にヘッド挿入口が形成されたカートリッジケースと、そのヘッド挿入口を開閉するようにカートリッジケースに摺動可能に支持されたシャッタと、そのシャッタをヘッド挿入口閉塞位置に弾性付勢するコイルバネとを備えたディスクカートリッジならびにディスク収容体に関するものである。
【０００２】
【従来の技術】
記録ディスクと、その記録ディスクを回転可能に収納して所定の位置にヘッド挿入口が形成されたカートリッジケースと、前記ヘッド挿入口を開閉するようにカートリッジケースに摺動可能に支持されたシャッタと、そのシャッタをヘッド挿入口の閉塞位置に弾性付勢するコイルバネとを備えた光ディスクカートリッジあるいは磁気ディスクカートリッジは一般に知られている。
【０００３】
このディスクカートリッジは、未使用時には前記コイルバネの弾性付勢力によりカートリッジケースのヘッド挿入口がシャッタで塞がれ、ヘッド挿入口からの塵埃類の侵入を阻止している。そしてディスクカートリッジを記録再生装置に挿入すると、記録再生装置内に設けられているシャッタ開き部材により前記コイルバネの弾性付勢力に抗してシャッタが摺動して、ヘッド挿入口が開かれ、情報の記録、再生がなされる。ディスクカートリッジを記録再生装置から取り出すと、コイルバネの復元力によりシャッタが元の位置に押し戻され、ヘッド挿入口が閉塞される。
【０００４】
前記コイルバネは、中間にコイル部を有し、一端にほぼＬ字状に折り曲げられたケース係止部が、他端にほぼＬ字状に折り曲げられたシャッタ係止部が設けられている。コイルバネをディスクカートリッジ内に組み込む際は、前記ケース係止部とシャッタ係止部のなす角度を若干狭めて、前記ケース係止部をカートリッジケースの隅部に係止し、前記シャッタ係止部をシャッタのバネ掛け部に係止する。そして前述のようにシャッタが開くと、それに伴いコイルバネのケース係止部とシャッタ係止部の間隔が狭められるとともに、前記コイル部もカートリッジケース内で移動する。
【０００５】
またこの種のディスクカートリッジにおいて、ヘッド挿入口の前部にカートリッジケースの平面よりも一段低くなったブリッジ部を形成し、記録ディスクに対して情報の記録または再生を行なう際、ヘッドをブリッジ部の上を通して記録ディスクとアクセスすることにより、ヘッドのアクセス位置精度を向上することも知られている。
【０００６】
【発明が解決しようとする課題】
ところでブリッジ部を設けたディスクカートリッジでは、コイルバネのシャッタ係止部がブリッジ部の近傍に配置されるが、従来のディスクカートリッジではシャッタ係止部がブリッジ部の平面から若干突出していた。そのためディスクカートリッジを記録再生装置に装着した際、ヘッドの一部がブリッジ部から突出したシャッタ係止部に引っ掛かり、記録再生装置内でディスクカートリッジが持ち上がったり、ヘッドやディスクカートリッジの一部が変形あるいは損傷して、適正な情報の記録／再生が行なわれないという問題があった。
【０００７】
また、人が手でシャッタを強制的に開いたとき、ブリッジ部から突出したシャッタ係止部によって怪我をすることがあるなどの欠点を有していた。
【０００８】
本発明の目的は、このような従来技術の欠点を解消し、ヘッドやディスクカートリッジの一部が変形あるいは損傷したり、怪我をしたりすることのないディスクカートリッジならびにディスク収容体を提供することにある。
【０００９】
【課題を解決するための手段】
上記目的を達成するために、本発明の第１の手段は、記録ディスクと、その記録ディスクを回転可能に収納し、所定の位置にヘッド挿入口が形成され、そのヘッド挿入口の前部に低くなったブリッジ部が設けられたカートリッジケースと、前記ヘッド挿入口を開閉するようにカートリッジケースに摺動可能に支持されたシャッタと、そのシャッタをヘッド挿入口の閉塞位置に弾性付勢するコイルバネとを備えたディスクカートリッジを対象とするものである。
【００１０】
そして前記コイルバネの一端に設けられたシャッタ係止部の高さが前記ブリッジ部の高さよりも低くなっており、前記シャッタが前記ヘッド挿入口の閉塞位置にあるとき、前記コイルバネのシャッタ係止部が前記ヘッド挿入口の内側に位置して、そのコイルバネのシャッタ係止部が前記ブリッジ部の平面より突出しないことを特徴とするものである。
【００１１】
本発明の第２の手段は、前記第１の手段において、前記ブリッジ部が上ケースの連結部と下ケースの連結部の重合体からなり、各連結部の前記コイルバネと対向する部分に切欠部が形成されていることを特徴とするものである。
【００１２】
本発明の第３の手段は、前記第１の手段において、前記ブリッジ部が上ケースの連結部と下ケースの連結部の重合体からなり、各連結部にバネ端ストッパー部が設けられていることを特徴とするものである。
【００１３】
本発明の第４の手段は、記録ディスクと、その記録ディスクを回転可能に収納し、所定の位置にヘッド挿入口が形成され、そのヘッド挿入口の前部に低くなったブリッジ部が設けられたカートリッジケースと、前記ヘッド挿入口を開閉するようにカートリッジケースに摺動可能に支持されたシャッタと、そのシャッタをヘッド挿入口の閉塞位置に弾性付勢するコイルバネとを備えたディスクカートリッジを対象とするものである。
そして前記カートリッジケースのブリッジ部が上ケースの連結部と下ケースの連結部の重合体からなり、各連結部に前記コイルバネの一端に設けられたシャッタ係止部が係止するバネ端ストッパー部が設けられていることを特徴とするものである。
本発明の第５の手段は、前記第４の手段において、前記バネ端ストッパー部が前記ヘッド挿入口の内側に位置していることを特徴とするものである。
本発明の第６の手段は、記録ディスクを回転可能に収納するディスク収納空間を内側に有し、所定の位置にヘッド挿入口が形成され、そのヘッド挿入口の前部に低くなったブリッジ部が設けられたカートリッジケースと、前記ヘッド挿入口を開閉するようにカートリッジケースに摺動可能に支持されたシャッタと、そのシャッタをヘッド挿入口の閉塞位置に弾性付勢するコイルバネとを備えたディスク収容体を対象とするものである。
【００１４】
そして前記コイルバネの一端に設けられたシャッタ係止部の高さが前記ブリッジ部の高さよりも低くなっており、前記シャッタが前記ヘッド挿入口の閉塞位置にあるとき、前記コイルバネのシャッタ係止部が前記ヘッド挿入口の内側に位置して、そのコイルバネのシャッタ係止部が前記ブリッジ部の平面より突出しないことを特徴とするものである。
【００１５】
本発明の第７の手段は、前記第６の手段において、前記ブリッジ部が上ケースの連結部と下ケースの連結部の重合体からなり、各連結部の前記コイルバネと対向する部分に切欠部が形成されていることを特徴とするものである。
【００１６】
本発明の第８の手段は、前記第６の手段において、前記ブリッジ部が上ケースの連結部と下ケースの連結部の重合体からなり、各連結部にバネ端ストッパー部が設けられていることを特徴とするものである。
【００１７】
【発明の実施の形態】
次に本発明の実施形態を図とともに説明する。図１は実施形態に係るディスクカートリッジの分解斜視図、図２は上ケースの平面図、図３は上ケースの底面図、図４は図３Ａ−Ａ線上の断面図、図５は図４Ｘ部の拡大図、図６は下ケースの平面図、図７はコイルバネの拡大正面図、図８はディスクカートリッジの先端側隅部の拡大平面図、図９は図８Ｂ−Ｂ線上の断面図、図１０は図８Ｃ−Ｃ線上の断面図、図１１はコイルバネの動きを説明するための拡大平面図、図１２はディスクカートリッジの一部拡大正面図である。
【００１８】
図１に示すようにディスクカートリッジは、上ケース１ａと下ケース１ｂとから構成されたカートリッジケース１と、その中に回転自在に収納された光ディスクや磁気ディスクなどからなる記録ディスク２と、カートリッジケース１にスライド可能に取り付けられたシャッタ３とから主に構成されている。
【００１９】
上ケース１ａと下ケース１ｂは例えばＡＢＳ樹脂などの合成樹脂の成形体からなり、上ケース１ａと下ケース１ｂを重ね合わせることにより、内側に記録ディスク２を回転可能に収納するディスク収納空間が形成される。
【００２０】
上ケース１ａの略中央部に回転駆動軸挿入口とヘッド挿入口が連なった開口４が、また下ケース１ｂにも同様に開口５が形成されている。上ケース１ａと下ケース１ｂの開口４，５の両側に、シャッタ３のスライド範囲を規制するために少し低くなった凹部６が形成されている。
【００２１】
開口４の前部にそれの左右端を結ぶ連結部７が形成され、図４ならびに図５に示すように連結部７の厚さｔ１は上ケース１ａの厚さｔ２よりもかなり薄くなっており、開口５の前部にも同様に連結部８が形成されている。図３に示すように上ケース１ａの内面で連結部７の付根部付近に円形の嵌合凹部１１，１１が、また図１ならびに図６に示すように下ケース１ｂの内面で連結部８の付根部付近に円形のボス部１２，１２が、それぞれ設けられている。上ケース１ａと下ケース１ｂを重ね合わせると、ボス部１２，１２の先端部が嵌合凹部１１，１１に嵌合して連結されるから、連結部７と連結部８との重ね合せによる補強効果が十分に発揮される。開口４の後部に凹部６側に向けて突出した舌片９が、開口５の後部にも同様に舌片１０が（図６参照）、それぞれ設けられている。
【００２２】
シャッタ３は合成樹脂の成形体から構成され、図１に示すように側面形状がほぼコ字形をしており、それの閉塞部１４が凹部６上をスライドすることにより開口４，５の左右両側方向に移動可能になっており、２個のコイルバネ１３，１３により開口４，５を閉塞する方向に常に弾性付勢されている。シャッタ３をカートリッジケース１に外付けすることにより、それの閉塞部１４の先端１４ａ，１４ａ（図１参照）が前記舌片９，１０の下側に入り込む。
【００２３】
コイルバネ１３は図７に示すように、中間に複数回巻かれたコイル部１５を有し、一端にほぼＬ字状に折り曲げられたケース係止部１６が、他端にほぼＬ字状に折り曲げられたシャッタ係止部１７が設けられている。コイルバネ１３をディスクカートリッジ１内に組み込む際には、前記ケース係止部１６とシャッタ係止部１７のなす角度を若干狭めて、前記ケース係止部１６をカートリッジケース１の隅部に設けられたバネ掛け部１８（図３，図６参照）に係止し、前記シャッタ係止部１７をシャッタ３に設けられたバネ掛け部１９（図８参照）に係止する。図１１の左側にコイルバネ１３の状態を示しており、実線はシャッタ３で開口４，５を閉塞しているときのコイルバネ１３の状態、一点鎖線はシャッタ３の開き始めのときのコイルバネ１３の状態、二点鎖線はシャッタ３で開口４，５を完全に開いたときのコイルバネ１３の状態を、それぞれ示している。
【００２４】
シャッタ３で開口４，５を閉塞しているときは、コイルバネ１３のケース係止部１６とシャッタ係止部１７は最も離れており、コイル部１５はカートリッジケース１（上ケース１ａ，下ケース１ｂ）側に設けられた第１壁部２０に弾接または接近している（図１１参照）。この第１壁部２０はコイル部１５が閉塞方向に過度に移動するのを阻止する機能を有し、図１，図８に示すように第１壁部２０は、シャッタ３の摺動方向Ｙに対してほぼ直交する方向に延びている。本実施形態では第１壁部２０をシャッタ３の摺動方向Ｙに対してほぼ直交する方向に延ばしているが、第１壁部２０を摺動方向Ｙに対して若干傾斜する方向に延ばすことも可能である。
【００２５】
コイルバネ１３の弾性に抗してシャッタ３を開き始めると、コイル部１５はカートリッジケース１（上ケース１ａ，下ケース１ｂ）側に設けられた第２壁部２１に沿って移動する。図８は、コイル部１５が第１壁部２０から離れ、第２壁部２１に当接して移動し始めた状態を示している。第２壁部２１は第１壁部２０に対して先端２１ａ側が拡角になるように傾斜して設けられ、第１壁部２０と第２壁部２１によりコイル部１５を収容する収容凹部２２が形成されている。シャッタ３で開口４，５を閉塞しているとき、コイル部１５は図１１に示されているように第１壁部２０と第２壁部２１の両方に当接しているか、あるいは第１壁部２０に当接して第２壁部２１から若干離れている。
【００２６】
シャッタ３を開くと図１１に示すように、ケース係止部１６とシャッタ係止部１７の間隔が徐々に狭くなるとともに、コイル部１５はほぼケース係止部１６を中心にして矢印Ｚで示すように円弧状の軌跡を描きながら移動する。コイルバネ１３の移動時の摺動抵抗を軽減して、シャッタ３の移動を円滑にするため、カートリッジケース１（上ケース１ａ，下ケース１ｂ）の内面に円弧状ならびに直線状に延びた複数本のリブ２３が設けられ、その上をコイルバネ１３が摺動するようになっている。
【００２７】
シャッタ３で開口４，５を完全に開いたとき、コイル部１５はカートリッジケース１（上ケース１ａ，下ケース１ｂ）に設けられた第３壁部２４に当接し、それ以上開き方向に過度に移動ことが阻止される。図３や図６に示すように、第３壁部２４は円弧状をしたリブ２３の一端に連設されている。
【００２８】
カートリッジケース１内において第１壁部２０と第２壁部２１と第３壁部２４は一対になっているが、本実施形態では上ケース１ａと下ケース１ｂを重ね合わせたとき、上ケース１ａに設けられた第１壁部２０と第２壁部２１と、下ケース１ｂに設けられた第３壁部２４で対を成し、下ケース１ｂに設けられた第１壁部２０と第２壁部２１と、上ケース１ａに設けられた第３壁部２４で対を成すように構成されている。
【００２９】
本実施形態ではシャッタ３は開口４，５の左右両側に移動可能になっているため、上ケース１ａの連結部７と下ケース１ｂの連結部８にそれぞれバネ端ストッパー部２５，２５が設けられている。そして図８の状態からシャッタ３がさらにＹ１方向に移動すると、コイルバネ１３のシャッタ係止部１７がバネ端ストッパー部２５に当たってそれ以上にコイルバネ１３が開くことがなく、コイルバネ１３はシャッタ３から離れてバネ端ストッパー部２５とケース側バネ掛け部１８の間で弾性的に保持されている。シャッタ３が反対にＹ２方向に移動して、シャッタ３に設けられているシャッタ側バネ掛け部１９がバネ端ストッパー部２５の上を通過すると、今までバネ端ストッパー部２５に係止されていたシャッタ係止部１７がシャッタ側バネ掛け部１７に係止される。
【００３０】
図１２はディスクカートリッジの一部拡大正面図で、上ケース１ａと下ケース１ｂを組み合わせることにより、連結部７，８が重なり合わさってカートリッジケース１（上ケース１ａ，下ケース１ｂ）の平面より一段低くなったブリッジ部２６が形成される。ディスクカートリッジを記録再生装置に装着した際、このブリッジ部２６上をヘッドが通過する。
【００３１】
同図に示すように２個のコイルバネ１３のシャッタ係止部１７がそれぞれブリッジ部２６の近傍に配置されるが、両方のシャッタ係止部１７ともその先端がブリッジ部２６の平面より突出しないようになっている。すなわち、ブリッジ部２６の厚さｔ４よりもシャッタ係止部１７の高さｔ３（図７参照）が低く設計されている。
【００３２】
図１ならびに図７に示すように、コイルバネ１３のコイル部１５とシャッタ係止部１７の間のアーム部２７はほぼ直線状に延びている。一方、上ケース１ａの連結部７でコイルバネ１３のアーム部２７と対向する角部にほぼ三角状に切り欠かれた切欠部２８が、また下ケース１ｂの連結部８にも同様に切欠部２９が、それぞれ形成されてコイルバネ１３の動作を干渉しないようになっている。
【００３３】
前記実施の形態では記録ディスクが予めカートリッジケース内に収納された例を示したが、本発明はこれに限定されるものではなく、例えばカートリッジケースの一方の側面にホルダー出入口を開設し、記録ディスクを着脱可能に保持したディスクホルダーを前記ホルダー出入口から出し入れ可能に挿入するタイプなど、他の形式のディスクカートリッジにも適用可能である。
【００３４】
【発明の効果】
請求項１，６記載の本発明は、コイルバネをカートリッジケース内に装着したとき、そのコイルバネのシャッタ係止部がブリッジ部の平面より突出しないように構成されている。そのためディスクカートリッジを記録再生装置に装着した際、ヘッドの一部がシャッタ係止部に引っ掛かり、記録再生装置内でディスクカートリッジが持ち上がったり、ヘッドやディスクカートリッジの一部が変形あるいは損傷したりするようなことがなく、適正な情報の記録／再生が行なわれる。またシャッタ係止部によって掻き傷を生じるようなこともない。
【００３５】
請求項２，７記載の本発明は、ブリッジ部が上ケースの連結部と下ケースの連結部の重合体からなり、各連結部のコイルバネと対向する部分に切欠部が形成されている。そのためシャッタストロークを大きくとることができ、カートリッジケースの小型化が図れる。またコイルバネの形状がシンプル（例えばアーム部が直線状にできるなど）になり、組み立て性が向上し、コストが安価となる。
【００３６】
請求項３，８記載の本発明は、ブリッジ部が上ケースの連結部と下ケースの連結部の重合体からなり、各連結部にバネ端ストッパー部が設けられている。そのためシャッタがヘッド挿入口の左右両側に移動する形式のものにおいて、コイルバネからシャッタが遠ざかるときにコイルバネのシャッタ係止部がバネ端ストッパー部に係止されるから、コイルバネが外れたりすることがないなどの特長を有している。
【図面の簡単な説明】
【図１】本発明の実施の形態に係るディスクカートリッジの分解斜視図である。
【図２】そのディスクカートリッジに用いる上ケースの平面図である。
【図３】その上ケースの底面図である。
【図４】図３Ａ−Ａ線上の断面図である。
【図５】図４Ｘ部の拡大図である。
【図６】そのディスクカートリッジに用いる下ケースの平面図である。
【図７】そのディスクカートリッジに用いるコイルバネの拡大正面図である。
【図８】ディスクカートリッジの先端側隅部の拡大平面図である。
【図９】図８Ｂ−Ｂ線上の断面図である。
【図１０】図８Ｃ−Ｃ線上の断面図である。
【図１１】コイルバネの動きを説明するための拡大平面図である。
【図１２】ディスクカートリッジの一部拡大正面図である。
【符号の説明】
１  カートリッジケース
１ａ  上ケース
１ｂ  下ケース
２  記録ディスク
３  シャッタ
４，５  開口
６  凹部
７，８  連結部
９，１０  舌片
１１  嵌合凹部
１２  ボス部
１３  コイルバネ
１４  閉塞部
１５  コイル部
１６  ケース係止部
１７  シャッタ係止部
１８  ケース側バネ掛け部
１９  シャッタ側バネ掛け部
２０  第１壁部
２１  第２壁部
２２  収容凹部
２３  リブ
２４  第３壁部
２５  バネ端ストッパー部
２６  ブリッジ部
２７  アーム部
２８，２９  切欠部
ｔ１  連結部の厚さ
ｔ２  上ケースの厚さ
ｔ３  シャッタ係止部の高さ
ｔ４  ブリッジ部の厚さ
Ｙ，Ｙ１，Ｙ２  シャッタ摺動方向
Ｚ  コイル部の移動方向
【図１】
0003611496.tif 000002
【図２】
0003611496.tif 000003
【図３】
0003611496.tif 000004
【図４】
0003611496.tif 000005
【図５】
0003611496.tif 000006
【図６】
0003611496.tif 000007
【図７】
0003611496.tif 000008
【図８】
0003611496.tif 000009
【図９】
0003611496.tif 000010
【図１０】
0003611496.tif 000011
【図１１】
0003611496.tif 000012
【図１２】
0003611496.tif 000013